(57)【特許請求の範囲】
【請求項１】
送り孔付き連続用紙を搬送するトラクタと、
前記トラクタが送り孔付き連続用紙の送り孔に係合して前記トラクタにより送り孔付き連続用紙が搬送されるトラクタ搬送位置と、送り孔が形成されていないピンレス連続用紙に前記トラクタが係合しないトラクタ退避位置と、の間で前記トラクタを移動させるトラクタ移動装置と、
前記ピンレス連続用紙をガイドする用紙ガイド位置と、連続用紙をガイドしない非ガイド位置との間を移動可能な可動ガイド部材と、
前記可動ガイド部材と前記トラクタ移動装置とを連結するリンク装置であって、前記トラクタの前記トラクタ搬送位置から前記トラクタ退避位置への移動に連動させて、前記可動ガイド部材を前記非ガイド位置から前記用紙ガイド位置へ移動させる前記リンク装置と、
を備えたことを特徴とする用紙搬送装置。
【請求項２】
前記トラクタ搬送位置の連続用紙幅方向外側に設定された前記トラクタ退避位置に前記トラクタを移動させる前記トラクタ移動装置、
を備えたことを特徴とする請求項１に記載の用紙搬送装置。
【請求項３】
前記トラクタと第１リンク係合部材とを支持し且つ前記トラクタと共に移動可能なトラクタ支持部材を有する前記トラクタ移動装置と、
前記第１リンク係合部材に係合する第１リンク被係合部を有する第１リンク部材と、前記第１リンク部材を支持し且つ第３リンク連結部を有し前記第１リンク部材が係合するトラクタ支持部材の移動に伴って第２リンク回転中心を中心として回転する第２リンク部材と、前記第３リンク連結部に連結されて前記第２リンク部材の回転に伴って鉛直上方に移動する第３リンク部材と、前記第３リンク部材に支持され且つガイド部材係合部を有し前記第３リンク部材の移動に伴って鉛直上方に移動する第４リンク部材と、を有する前記リンク装置と、
ガイド部材回転中心を中心として鉛直下方に設定された前記非ガイド位置と鉛直上方に設定された前記用紙ガイド位置との間を回転移動するガイド部材可動部であって、前記ガイド部材係合部が係合する係合溝を有し、前記第４リンク部材の鉛直上方への移動に伴って前記用紙ガイド位置に移動するガイド部材可動部を有する前記可動ガイド部材と、
を備えたことを特徴とする請求項２に記載の用紙搬送装置。
【請求項４】
前記送り孔付き連続用紙の用紙幅に応じて用紙幅方向に前記トラクタを移動可能な前記トラクタ移動装置であって、使用可能な最大サイズの送り孔付き連続用紙の用紙幅に対応する最大サイズ用トラクタ搬送位置から、用紙幅方向外側に前記トラクタを移動させた場合に、前記第１リンク被係合部に係合する前記第１リンク係合部を有する前記トラクタ移動装置、
を備えたことを特徴とする請求項３に記載の用紙搬送装置。
【請求項５】
請求項１ないし４のいずれかに記載の用紙搬送装置を備えたことを特徴とする画像形成装置。
【発明の詳細な説明】
【技術分野】
【０００１】
本発明は、画像が記録される用紙を搬送する用紙搬送装置および前記用紙搬送装置を備えたプリンタ、ＦＡＸ、複写機またはこれら複数の機能を備えた複合機等の画像形成装置に関し、特に、画像が記録される用紙として連続用紙を使用される用紙搬送装置および画像形成装置に関する。
【背景技術】
【０００２】
従来のプリンタ、ＦＡＸ、複写機等の連続用紙が使用可能な画像形成装置において、連続用紙として、大きく分けて、連続用紙の用紙幅方向両端部に送り孔（スプロケット孔）が形成された送り孔付き連続用紙（ピンフォールト連続用紙）と、送り孔が形成されていないピンレス連続用紙とがある。前記送り孔付き連続用紙は、駆動するトラクタにより送り孔にトラクタのピンを係合させて搬送し、ピンレス連続用紙はトラクタを使用せず、駆動ローラにより搬送される。
近年、連続用紙の多様化、大量印刷化に伴い、従来の送り孔付き連続用紙だけでなく、ピンレス用紙のニーズも高まっており、連続用紙を使用する画像形成装置において、両方の連続用紙を使用できるようにすることが求められている。
【０００３】
しかし、送り孔付き連続用紙を使用する画像形成装置にピンレス連続用紙を使用する場合、ピンレス連続用紙はトラクタで搬送できないので、連続用紙の用紙幅方向両端部に配置されたトラクタが用紙に接触してしまう問題がある。この問題に対応するために、送り孔付き連続用紙を搬送する用紙搬送路とピンレス連続用紙を搬送する用紙搬送路を用紙幅方向に並べて配置することが考えられるが、画像形成装置が大型化する問題がある。したがって、画像形成装置の大型化を避けるためには、用紙搬送路（パスルート）を共通化すると共にトラクタを用紙幅方向に移動可能に構成し、送り孔付き連続用紙を使用する場合には内側の用紙搬送位置に移動させ、ピンレス用紙を使用する場合には用紙幅方向外側の退避位置に移動させることが考えられる。
【０００４】
図９は連続用紙を使用する画像形成装置の用紙搬送路の要部拡大説明図である。
図９において、トナー像を表面に担持する像担持体（感光体ドラム）０１とトナー像を連続用紙０２に転写する転写器０３とが対向する転写領域０４の上流側には、送り孔付き連続用紙を転写領域０４に搬送する下トラクタ０６が配置されている。前記転写領域０４の下流側には、トナー像が転写された送り孔付き連続用紙を図示しない定着装置に搬送する上トラクタ０７が配置されている。また、前記下トラクタ０６の用紙搬送方向上流側には、送り孔付き連続用紙を下流側に搬送するサブトラクタ０８が配置されている。前記サブトラクタ０８と下トラクタ０６との間には、用紙をガイドするガイドバー０１０が配置され、下トラクタ０６から上トラクタ０７までの用紙搬送路上には転写領域ガイド部材０１１やガイドバー０１２が配置されている。
【０００５】
前記各トラクタ０６〜０８は、それぞれ、ピン０６ａ〜０８ａを有し回転駆動して送り孔付き連続用紙を搬送するトラクタユニット０６ｂ〜０８ｂと、前記トラクタユニット０６ｂ〜０８ｂとの間で連続用紙を挟み込んで保持する保持部材０６ｃ〜０８ｃを有する。前記保持部材０６ｃ〜０８ｃは、トラクタユニット０６ｂ〜０８ｂに対して開閉可能に構成されており、トラクタ部分で紙詰まりが発生した場合や新たな連続用紙をセットする場合等に保持部材０６ｃ〜０８ｃを開放できるように構成されている。
また、前記各トラクタ０６〜０８は、図示しない移動機構により、ピンレス連続用紙を使用する場合には邪魔にならないように用紙幅方向に退避可能に構成されている。
【０００６】
前記下トラクタ０６の下方には、新たな連続用紙を自動でセットするオートロード時にピンレス連続用紙を転写領域０４にガイドするためのガイド部材０１３が配置されている。前記ガイド部材０１３は、用紙幅方向全域に形成されており、転写領域ガイド部材０１１に対向する下流側ガイド部０１３ａを有する。前記下流側ガイド部０１３ａの上流端には、折れ曲がりガイド部０１３ｂが下方に折れ曲がって形成されている。折れ曲がりガイド部０１３ｂの上流端には、下トラクタ０６の下方に延びる上流側ガイド部０１３ｃが形成されている。すなわち、前記ガイド部材０１３は、下トラクタ０６の保持部材０６ｃを開閉するための開閉空間０１４を確保するために、下トラクタ０６に対して下方に回り込むように湾曲した形状に形成されている。
【発明の開示】
【発明が解決しようとする課題】
【０００７】
（従来技術の問題点）
前記図９に示す従来技術では、送り孔付き連続用紙とピンレス連続用紙の両方を使用可能とするために、下トラクタ０６を回り込むように、ピンレス連続用紙のオートロード用のガイド部材０１３を湾曲させる必要があった。しかし、前記従来技術では、ガイド部材０１３が湾曲しているので、剛性の低い（いわゆる、こしの弱い）連続用紙０２をオートロードする際に、図９に示すように連続用紙０２の前端が折れ曲がりガイド部０１３ｂの部分で引っ掛かり、座屈し、折れ曲がってしまう問題がある。
【０００８】
本発明は前記事情に鑑み、次の記載内容（Ｏ01）を技術的課題とする。
（Ｏ01）送り孔付き連続用紙とピンレス連続用紙の両方を使用可能にしつつ、連続用紙を適切にガイドすること。
【課題を解決するための手段】
【０００９】
次に、前記課題を解決した本発明を説明するが、本発明の構成要素には、後述の実施例の構成要素との対応を容易にするため、実施例の構成要素の符号をカッコで囲んだものを付記する。
なお、本発明を後述の実施例の符号と対応させて説明する理由は、本発明の理解を容易にするためであり、本発明の範囲を実施例に限定するためではない。
【００１０】
（第１発明）
前記技術的課題を解決するために第１発明の用紙搬送装置（ＳＨ）は、
送り孔付き連続用紙（Ｐ）を搬送するトラクタ（Ｋ１，Ｋ２，Ｋ３）と、
前記トラクタ（Ｋ１，Ｋ２，Ｋ３）が送り孔付き連続用紙（Ｐ）の送り孔に係合して前記トラクタ（Ｋ１，Ｋ２，Ｋ３）により送り孔付き連続用紙（Ｐ）が搬送されるトラクタ搬送位置と、送り孔が形成されていないピンレス連続用紙（Ｐ）に前記トラクタ（Ｋ１，Ｋ２，Ｋ３）が係合しないトラクタ退避位置と、の間で前記トラクタ（Ｋ１，Ｋ２，Ｋ３）を移動させるトラクタ移動装置（２１）と、
前記ピンレス連続用紙（Ｐ）をガイドする用紙ガイド位置と、連続用紙（Ｐ）をガイドしない非ガイド位置との間を移動可能な可動ガイド部材（ＫＧ）と、
前記可動ガイド部材（ＫＧ）と前記トラクタ移動装置（２１）とを連結するリンク装置（３６）であって、前記トラクタ（Ｋ１，Ｋ２，Ｋ３）の前記トラクタ搬送位置から前記トラクタ退避位置への移動に連動させて、前記可動ガイド部材（ＫＧ）を前記非ガイド位置から前記用紙ガイド位置へ移動させる前記リンク装置（３６）と、
を備えたことを特徴とする。
【００１１】
（第１発明の作用）
前記構成要件を備えた第１発明の用紙搬送装置（ＳＨ）では、トラクタ（Ｋ１，Ｋ２，Ｋ３）は、送り孔付き連続用紙（Ｐ）を搬送する。トラクタ移動装置（２１）は、前記トラクタ（Ｋ１，Ｋ２，Ｋ３）が送り孔付き連続用紙（Ｐ）の送り孔に係合して前記トラクタ（Ｋ１，Ｋ２，Ｋ３）により送り孔付き連続用紙（Ｐ）が搬送されるトラクタ搬送位置と、送り孔が形成されていないピンレス連続用紙（Ｐ）に前記トラクタ（Ｋ１，Ｋ２，Ｋ３）が係合しないトラクタ退避位置と、の間で前記トラクタ（Ｋ１，Ｋ２，Ｋ３）を移動させる。可動ガイド部材（ＫＧ）は、前記ピンレス連続用紙（Ｐ）をガイドする用紙ガイド位置と、連続用紙（Ｐ）をガイドしない非ガイド位置との間を移動する。前記可動ガイド部材（ＫＧ）と前記トラクタ移動装置（２１）とを連結するリンク装置（３６）は、前記トラクタ（Ｋ１，Ｋ２，Ｋ３）の前記トラクタ搬送位置から前記トラクタ退避位置への移動に連動させて、前記可動ガイド部材（ＫＧ）を前記非ガイド位置から前記用紙ガイド位置へ移動させる。
【００１２】
したがって、第１発明の用紙搬送装置（ＳＨ）では、送り孔付き連続用紙（Ｐ）を使用する場合には、トラクタ（Ｋ１，Ｋ２，Ｋ３）のトラクタ搬送位置への移動に連動して可動ガイド部材（ＫＧ）が非ガイド位置に移動して、トラクタ（Ｋ１，Ｋ２，Ｋ３）により送り孔付き連続用紙（Ｐ）を搬送できる。また、ピンレス連続用紙（Ｐ）を使用する場合には、トラクタ（Ｋ１，Ｋ２，Ｋ３）のトラクタ退避位置への移動に連動して可動ガイド部材（ＫＧ）が用紙ガイド位置に移動するので、オートロード時に可動ガイド部材（ＫＧ）によりピンレス連続用紙（Ｐ）を適切にガイドして搬送することができる。この結果、送り孔付き連続用紙（Ｐ）とピンレス連続用紙（Ｐ）の両方を使用可能にしつつ、ピンレス連続用紙（Ｐ）を適切にガイドすることができる。
【００１３】
（第１発明の形態１）
第１発明の形態１の用紙搬送装置（ＳＨ）は、前記第１発明において、
前記トラクタ搬送位置の連続用紙（Ｐ）幅方向外側に設定された前記トラクタ退避位置に前記トラクタ（Ｋ１，Ｋ２，Ｋ３）を移動させる前記トラクタ移動装置（２１）、
を備えたことを特徴とする。
（第１発明の形態１の作用）
前記構成要件を備えた第１発明の形態１の用紙搬送装置（ＳＨ）では、前記トラクタ移動装置（２１）は、トラクタ搬送位置の連続用紙（Ｐ）幅方向外側に設定された前記トラクタ退避位置に前記トラクタ（Ｋ１，Ｋ２，Ｋ３）を移動させることができる。
【００１４】
（第１発明の形態２）
第１発明の形態２の用紙搬送装置（ＳＨ）は、前記第１発明の形態１において、
前記トラクタ（Ｋ１，Ｋ２，Ｋ３）と第１リンク係合部材（３４）とを支持し且つ前記トラクタ（Ｋ１，Ｋ２，Ｋ３）と共に移動可能なトラクタ支持部材（Ｋ１ａ）を有する前記トラクタ移動装置（２１）と、
前記第１リンク係合部材（３４）に係合する第１リンク被係合部（３７ｂ）を有する第１リンク部材（３７）と、前記第１リンク部材（３７）を支持し且つ第３リンク連結部（３８ｅ）を有し前記第１リンク部材（３７）が係合するトラクタ支持部材（Ｋ１ａ）の移動に伴って第２リンク回転中心（３８ａ）を中心として回転する第２リンク部材（３８）と、前記第３リンク連結部（３８ｅ）に連結されて前記第２リンク部材（３８）の回転に伴って鉛直上方に移動する第３リンク部材（４６）と、前記第３リンク部材（４６）に支持され且つガイド部材係合部（４８ｄ）を有し前記第３リンク部材（４６）の移動に伴って鉛直上方に移動する第４リンク部材（４８）と、を有する前記リンク装置（３６）と、
ガイド部材回転中心（５７）を中心として鉛直下方に設定された前記非ガイド位置と鉛直上方に設定された前記用紙ガイド位置との間を回転移動するガイド部材可動部（５８）であって、前記ガイド部材係合部（４８ｄ）が係合する係合溝（６１ｃ）を有し、前記第４リンク部材（４８）の鉛直上方への移動に伴って前記用紙ガイド位置に移動するガイド部材可動部（５８）を有する前記可動ガイド部材（ＫＧ）と、
を備えたことを特徴とする。
【００１５】
（第１発明の形態２の作用）
前記構成要件を備えた第１発明の形態２の用紙搬送装置（ＳＨ）では、トラクタ移動装置（２１）のトラクタ支持部材（Ｋ１ａ）は、前記トラクタ（Ｋ１，Ｋ２，Ｋ３）と第１リンク係合部材（３４）とを支持し、前記トラクタ（Ｋ１，Ｋ２，Ｋ３）と共に移動する。リンク装置（３６）の第１リンク部材（３７）の第１リンク被係合部（３７ｂ）は、前記第１リンク係合部材（３４）に係合する。前記第１リンク部材（３７）を支持し且つ第３リンク連結部（３８ｅ）を有する第２リンク部材（３８）は、前記第１リンク部材（３７）が係合するトラクタ支持部材（Ｋ１ａ）の移動に伴って第２リンク回転中心（３８ａ）を中心として回転する。前記第３リンク連結部（３８ｅ）に連結された第３リンク部材（４６）は、前記第２リンク部材（３８）の回転に伴って鉛直上方に移動する。
【００１６】
前記第３リンク部材（４６）に支持された第４リンク部材（４８）は、ガイド部材係合部（４８ｄ）を有し、前記第３リンク部材（４６）の移動に伴って鉛直上方に移動する。可動ガイド部材（ＫＧ）のガイド部材可動部（５８）は、ガイド部材回転中心（５７）を中心として鉛直下方に設定された前記非ガイド位置と鉛直上方に設定された前記用紙ガイド位置との間を回転移動する。前記ガイド部材可動部（５８）は、ガイド部材係合部（４８ｄ）が係合する係合溝（６１ｃ）を有し、前記第４リンク部材（４８）の鉛直上方への移動に伴って前記用紙ガイド位置に移動する。したがって、トラクタ（Ｋ１，Ｋ２，Ｋ３）のトラクタ搬送位置からトラクタ退避位置への移動に連動させて、可動ガイド部材（ＫＧ）のガイド部材可動部（５８）を前記非ガイド位置から前記用紙ガイド位置へ移動させることができる。
【００１７】
（第１発明の形態３）
第１発明の形態３の用紙搬送装置（ＳＨ）は、前記第１発明の形態２において、
前記送り孔付き連続用紙（Ｐ）の用紙幅に応じて用紙幅方向に前記トラクタ（Ｋ１，Ｋ２，Ｋ３）を移動可能な前記トラクタ移動装置（２１）であって、使用可能な最大サイズの送り孔付き連続用紙（Ｐ）の用紙幅に対応する最大サイズ用トラクタ搬送位置から、用紙幅方向外側に前記トラクタ（Ｋ１，Ｋ２，Ｋ３）を移動させた場合に、前記第１リンク被係合部（３７ｂ）に係合する前記第１リンク係合部材（３４）を有する前記トラクタ移動装置（２１）、
を備えたことを特徴とする。
【００１８】
（第１発明の形態３の作用）
前記構成要件を備えた第１発明の形態３の用紙搬送装置（ＳＨ）では、トラクタ移動装置（２１）は、送り孔付き連続用紙（Ｐ）の用紙幅に応じて用紙幅方向に前記トラクタ（Ｋ１，Ｋ２，Ｋ３）を移動する。トラクタ移動装置（２１）の第１リンク係合部材（３４）は、使用可能な最大サイズの送り孔付き連続用紙（Ｐ）の用紙幅に対応する最大サイズ用トラクタ搬送位置から、用紙幅方向外側に前記トラクタ（Ｋ１，Ｋ２，Ｋ３）を移動させた場合に、前記第１リンク被係合部（３７ｂ）に係合する。したがって、送り孔付き連続用紙（Ｐ）の用紙幅に応じて用紙幅方向にトラクタ（Ｋ１，Ｋ２，Ｋ３）が移動する場合には、第１リンク被係合部（３７ｂ）との係合が解除されるので、可動ガイド部材（ＫＧ）が連動して移動することを解除できる。
【００１９】
（第２発明）
前記技術的課題を解決するために第２発明の画像形成装置（Ｕ）は、前記第１発明および第１発明の形態１〜３のいずれかの用紙搬送装置（ＳＨ）を備えたことを特徴とする。
（第２発明の作用）
前記構成要件を備えた第２発明の画像形成装置（Ｕ）は、第１発明および第１発明の形態１〜３のいずれかの用紙搬送装置（ＳＨ）を備えているので、送り孔付き連続用紙（Ｐ）とピンレス連続用紙（Ｐ）の両方を使用可能にしつつ、ピンレス連続用紙（Ｐ）を適切にガイドすることができる。
【発明の効果】
【００２０】
前述の本発明は、下記の効果（Ｅ01）を奏する。
（Ｅ01）送り孔付き連続用紙とピンレス連続用紙の両方を使用可能にしつつ、連続用紙を適切にガイドすることができる。
【発明を実施するための最良の形態】
【００２１】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【実施例１】
【００２２】
図１は本発明の実施例１の用紙搬送装置を備えた画像形成装置の説明図である。
図１において、画像形成装置としての送り孔付き連続用紙およびピンレス連続用紙を使用可能なプリンタＵは、プリンタ支持面ＰＳ上に支持されている。前記プリンタＵの右側上部にＵＩ（ユーザインタフェース）が設けられている。ＵＩ（ユーザインタフェース）には、図示しない電源スイッチ、ディスプレイ等が設けられている。前記ＵＩの下側には右端部に図示しない制御ボードを収容するためのボード収容部Ｓが設けられている。
前記ボード収容部Ｓの左側には、ＲＯＳ（潜像形成装置）が配置されている。前記ＲＯＳ（潜像形成装置）の左側には、ドラム状の感光体ＰＲが回転可能に支持されている。前記感光体ＰＲの左側面には、転写器ＴＣが配置されている。前記感光体ＰＲの周囲には、その回転方向に沿って前記転写器ＴＣ、クリーナＣＬ、帯電器ＣＣ、現像器Ｄが配置されている。前記転写器ＴＣ、帯電器ＣＣは、コロトロン式に限定されず、ローラ式のものを使用可能である。
【００２３】
回転する前記感光体ＰＲの表面は、帯電器ＣＣにより一様に帯電され、前記帯電された感光体ＰＲ表面は、ＲＯＳ（潜像形成装置）から出射されるレーザビームＬにより静電潜像が形成される。前記感光体ＰＲ表面の静電潜像は現像器Ｄによりトナー像に現像される。前記感光体ＰＲ表面のトナー像は、前記転写器ＴＣに対向する転写領域Ｑ１に搬送される。前記現像器Ｄの下方には電源回路Ｅが配置されている。前記電源回路Ｅの左側には、送り孔付き連続用紙Ｐを収容する連続用紙収容部ＴＲ１が設けられている。
【００２４】
図２は実施例１の画像形成装置の転写領域近傍の要部拡大説明図である。
図１、図２において、前記連続用紙収容部ＴＲ１に収容された連続用紙Ｐは、用紙搬送路上に配置され、連続用紙Ｐがたるまないようにテンションを付与するためのバックテンションローラ（搬送ローラ）ＢＲ，ＢＲにより挟持される。前記バックテンションローラＢＲ，ＢＲは、スプリングＳＰにより所定の押圧力で連続用紙Ｐを挟持している。前記バックテンションローラＢＲ，ＢＲの用紙搬送方向下流側には、第１サブトラクタ支持部材Ｋ１ａに支持された第１サブトラクタＫ１が配置されている。
図２において、前記第１サブトラクタＫ１の用紙搬送方向下流側には、従動回転する第１ゴムローラ（従動ローラ）Ｒｇ１と、図示しないピンチローラ離接機構により前記第１ゴムローラＲｇ１に対して当接、離隔可能な第１ピンチローラ（駆動ローラ）Ｒｐ１とが配置されている。前記第１ピンチローラＲｐ１は、連続用紙Ｐのオートロード時に第１ゴムローラＲｇ１に当接して駆動し、連続用紙Ｐを下流側に搬送してオートロード作業（新たな連続用紙をセットする作業）を行う。前記第１ゴムローラＲｇ１および第１ピンチローラ等により、第１オートロード時搬送部材（Ｒｇ１＋Ｒｐ１）が構成されている。
【００２５】
前記第１サブトラクタＫ１の用紙搬送方向下流側には、用紙幅方向に対向して一対のトラクタ支持フレームＦｔが配置されている。前記トラクタ支持フレームＦｔには、第１サブトラクタＫ１で搬送された送り孔付き連続用紙を転写領域Ｑ１に搬送する転写領域上流側トラクタＫ２が支持されている。前記転写領域上流側トラクタＫ２と転写領域Ｑ１との間には、ガイドバーＧＢがトラクタ支持フレームＦｔにより支持されており、転写領域Ｑ１の近傍には用紙ガイドＧ１が支持されている。前記転写領域Ｑ１の用紙搬送方向下流側には、前記第１オートロード時搬送部材（Ｒｇ１＋Ｒｐ１）と同様に構成された第２オートロード時搬送部材（Ｒｇ２＋Ｒｐ２）が配置されている。したがって、前記第２オートロード時搬送部材（Ｒｇ２＋Ｒｐ２）は、従動回転する第２ゴムローラＲｇ２と、第２ゴムローラＲｇに当接、離隔可能に支持された駆動する第２ピンチローラＲｐ２と、を有する。前記第２ピンチローラＲｐ２は、第１ピンチローラＲｐ１と同様に、オートロード時に第２ゴムローラＲｇ２に当接して連続用紙Ｐを下流側に搬送する。
前記第１オートロード時搬送部材（Ｒｇ１＋Ｒｐ１）および第２オートロード時搬送部材（Ｒｇ２＋Ｒｐ２）等によりオートロード時搬送部材（Ｒｇ１＋Ｒｐ１＋Ｒｇ２＋Ｒｐ２）が構成されている。
【００２６】
前記第２オートロード時搬送部材（Ｒｇ２＋Ｒｐ２）の用紙搬送方向下流側には、前記トラクタ支持フレームＦｔに支持された転写領域下流側トラクタＫ３が配置されている。なお、前記トラクタ支持フレームＦｔは、アーム部材Ａｍにより前記第１サブトラクタ支持部材Ｋ１ａに支持されている。
また、前記転写領域上流側トラクタＫ２の下方には、連続用紙Ｐとしてピンレス連続用紙を使用する場合に、ピンレス連続用紙のオートロード時に用紙前端を転写領域Ｑ１にガイドするための可動ガイド部材ＫＧが配置されている。
【００２７】
図２において、連続用紙Ｐとして送り孔付き連続用紙（ピンフォールト紙）を使用する場合、前記第１サブトラクタＫ１により搬送された送り孔付き連続用紙Ｐは、転写領域上流側トラクタＫ２により下流側に搬送され、ガイドバーＧＢ、用紙ガイドＧ１によりガイドされて転写領域Ｑ１に搬送される。転写領域Ｑ１において、転写器ＴＣにより感光体ＰＲのトナー像が連続用紙Ｐに転写される。トナー像が転写された感光体ＰＲは、クリーナーＣＬによりクリーニングされて、再び帯電器ＣＣにより表面が帯電される。トナー像が転写された連続用紙Ｐは、用紙ガイドＧ１、ガイドバーＧＢによりガイドされて、転写領域下流側トラクタＫ３により下流側に搬送される。
図１において、前記転写領域下流側トラクタＫ３により搬送された送り孔付き連続用紙Ｐは、図示しない用紙ガイドによりガイドされて定着領域Ｑ２に搬送される。定着領域Ｑ２を通過する連続用紙Ｐ上のトナー像はフラッシュランプＦＩを使用した定着器Ｆにより定着用の光を照射されて加熱定着される。
【００２８】
前記定着領域Ｑ２の通過時に定着器Ｆでトナー像が加熱定着された連続用紙Ｐは、冷却用ブロワ２から送風される冷却風により冷却される。前記冷却風は排気ダクト３から排気される。前記冷却風により冷却されたトナー像が形成された連続用紙Ｐは、一対の排出ローラ（駆動ローラ）Ｒｂ，Ｒｂの間を通って、シートガイドＧ２から下方のスタックトレイＴＲ２に搬送される。なお、ピンレス連続用紙使用時は、駆動する排出ローラＲｂにより連続用紙Ｐの搬送が行われる。
前記バックテンションローラＢＲ，ＢＲ、第１サブトラクタＫ１、転写領域上流側トラクタＫ２、転写領域下流側トラクタＫ３、排出ローラＲｂ，Ｒｂ等によりシート搬送装置ＳＨが構成されている。
【００２９】
スタックトレイＴＲ２に搬送された送り孔付き連続用紙Ｐは折り目（図示せず）により自動的に折り畳まれた状態で前記スタックトレイＴＲ２上に積載される。前記スタックトレイＴＲ２は矢印Ｙａ方向に上下動可能に構成されており、積載された送り孔付き連続用紙Ｐの高さに応じて自動的に下方に移動し、順次搬送されて来る送り孔付き連続用紙Ｐが積載される位置が常時一定に保持される。
【００３０】
（トラクタユニットの説明）
図３は用紙フィード用のトラクタユニットの説明図であり、図３Ａはトラクタユニットと用紙の説明図、図３Ｂはトラクタユニットの説明図で前記図３ＡのIIIＢ−IIIＢ線断面図、図３Ｃは図３Ｂの矢印IIIＣ方向から見た図である。
次に、トラクタＫ１〜Ｋ３の説明を行うが、各トラクタは同様に構成されているので、第１サブトラクタＫ１についてのみ説明し、その他は説明を省略する。
図３Ａにおいて、送り孔付き連続用紙Ｐの用紙先端はＰａで示されている。送り孔付き連続用紙Ｐには、用紙搬送方向に所定間隔離れる毎に折り線（直線に沿って小さい孔（またはスリット等）が形成された部分）Ｐｂが形成されている。また、送り孔付き連続用紙Ｐの用紙幅方向両側には用紙搬送方向に沿って一定間隔ａで且つ用紙搬送方向同一位置に送り孔Ｐｃが形成されている。なお、ピンレス連続用紙Ｐの場合は、前記送り孔Ｐｃが形成されていないだけで、その他は同様に構成されている。
【００３１】
前記第１サブトラクタＫ１は、用紙搬送方向に離れて配置され且つ用紙幅方向に延びる固定シャフト４と平行な２本のトラクタシャフト５，６とを有しており、各シャフト４，５，６の用紙幅方向両側にはトラクタユニット７，７が配置されている。なお、前記シャフト４は図示しない固定フレームに固定支持されており、前記２本のトラクタシャフト５，６の中の１本の駆動トラクタシャフト５には図示しない回転駆動装置から回転力が伝達されるように構成されている。前記駆動トラクタシャフト５の外周には、用紙幅方向に沿って図示しないギア（オス）が形成されている。
各トラクタユニット７はユニットフレーム８を有している。ユニットフレーム８は、前記トラクタシャフト４，５，６により用紙幅方向にスライド移動可能に支持されている。また、第１サブトラクタＫ１のユニットフレーム８は、図示しないユニットケース（連結部材）により第１サブトラクタ支持部材Ｋ１ａに支持（連結）されている。
【００３２】
前記トラクタシャフト５，６にはそれぞれタイミングプーリ１２，１３が装着されている。前記駆動トラクタシャフト５に装着されるタイミングプーリ１２の内周面には、駆動トラクタシャフト５の外周面に形成されたギア（オス）に噛合うギア（メス）が形成されている。
前記タイミングプーリ１２，１３にはピンベルト１４が装着されている。図３Ａ、図３Ｂにおいて、ピンベルト１４の外周には複数のトラクタピン１４ａが一定間隔ａで設けられている。前記トラクタピン１４ａは前記送り孔Ｐｃに嵌合可能である。 前記ピンベルト１４には、隣接するトラクタピン１４ａ，１４ａの丁度中間位置に傾斜装着防止マークとしての直線１４ｂが形成されている。なお、前記傾斜装着防止マークとしての直線１４ｂは用紙搬送方向に所定の間隔で複数設けられており、隣接する直線１４ｂと１４ｂとの間隔は３ａに設定されている。
前記ガイドフレーム８と、前記タイミングプーリ１２，１３とにより、ピンベルト１４を回転可能に支持するベルト支持部材（８〜１３）が構成されている。
【００３３】
図３において、前記ガイドフレーム８には用紙押さえ部材（トラクタ保持機構）１６が支持されている。用紙押さえ部材１６はガイドフレーム８から外側に延びる押さえ部材固定部１６ａと前記押さえ部材固定部１６ａの外側端に回動可能に連結された断面Ｌ字形の押さえ部材可動部１６ｂとを有している。
前記押さえ部材可動部１６ｂは、トラクタユニット７のトラクタピン１４ｂに送り孔付き連続用紙Ｐの送り孔Ｐｃが嵌合した状態で、トラクタピン１４ａの先端に当接する位置に回動する。そして、前記押さえ部材可動部１６ｂは、図示しない弾性部材により、トラクタピン１４ａの先端に当接する位置に保持されて、送り孔Ｐｃがトラクタピン１４ｂから抜け出すのを防止する。
前記符号４〜１６を付した部材によりトラクタＫ１が構成されている。
【００３４】
前記トラクタＫ１では、駆動トラクタシャフト５に回転力が伝達されると、駆動トラクタシャフト５外周のギアとタイミングプーリ１２内周のギアとの噛合により駆動トラクタシャフト５の回転がタイミングプーリ１２に伝達される。したがって、トラクタシャフト５の前記用紙幅方向両側の端部に装着されたタイミングプーリ（ベルト駆動部材）１２（図３Ｂ参照）が回転する。前記プーリ１２の回転に伴って、用紙幅方向両側のピンベルト１４およびタイミングプーリ１３も回転する。前記トラクタピン１４ａが前記送り孔Ｐｃに嵌合している状態で前記ピンベルト１４が回転すると、前記送り孔付き連続用紙Ｐは用紙搬送方向に搬送される。また、前記駆動トラクタシャフト５には、軸方向に沿ってギアが形成されているので、トラクタユニット７が用紙幅方向に移動する際に、軸方向に沿って形成されたトラクタシャフト５のギアとタイミングプーリ１２のギアとが噛合った状態でスライド移動する。このため、トラクタユニット７、７が移動しても駆動力が伝達されるので、トラクタユニット７，７を用紙幅方向の任意の位置で駆動することができる。
【００３５】
（トラクタ移動装置の説明）
図４は実施例１のトラクタ移動装置の要部拡大説明図である。
図４において、実施例１のトラクタ移動装置２１は、プリンタＵのフレーム２２にベアリングを介して回転可能に支持された調節シャフト２３を有する。前記調節シャフト２３は、フレーム２２の外側の外端部に支持された把持部２４と、フレーム２２の内側に形成されたネジ部２６とを有する。前記ネジ部２６は、前記第１サブトラクタＫ１の第１サブトラクタ支持部材Ｋ１ａに形成されたネジ孔Ｋ１ｂ（図２参照）に螺合して用紙幅方向に貫通している。
前記フレーム２２の内側には、ピンレス連続用紙Ｐを使用する場合に、トラクタＫ１が退避位置（図４の破線参照）に移動したか否かを検出するための退避位置検出センサＳＮが配置されている。
【００３６】
前記トラクタ移動装置２１では、ユーザが把持部２４を手動で回転させることにより、第１サブトラクタＫ１がシャフト（トラクタガイド部材）４〜６によりガイドされて第１サブトラクタ支持部材Ｋ１ａおよび第１サブトラクタＫ１を用紙幅方向に移動させることができる。このとき、第１サブトラクタ支持部材Ｋ１ａにアームＡｍを介して接続されたトラクタ支持フレームＦｔも連動して移動し、各トラクタＫ１〜Ｋ３は用紙幅方向に移動する。したがって、送り孔付き連続用紙Ｐの用紙幅に応じて、最大イサイズ用トラクタ搬送位置（図４の実線参照）から最小サイズ用トラクタ搬送位置（図４の一点鎖線参照）までの間で用紙幅方向に位置調節できると共に、ピンレス連続用紙Ｐ使用時には、最大サイズ用トラクタ搬送位置の用紙幅方向外側のトラクタ退避位置に移動させることができる。
なお、トラクタ移動装置２１は用紙幅方向両端部に設けられており、用紙幅方向両側のトラクタＫ１〜Ｋ３をそれぞれ移動させることができるように構成されている。
【００３７】
（トラクタ移動装置、可動ガイド部材およびリンク装置の説明）
図５は実施例１の可動ガイド部材およびリンク装置の側面図である。
図６は最大サイズ用トラクタ搬送位置に移動した可動ガイド部材およびリンク装置を右斜め後の上方から見た斜視説明図である。
図７は実施例１の可動ガイド部材及びリンク装置の説明図であり、図７Ａは図６の矢印ＶＩＩＡ方向から見た図、図７Ｂは図７Ａの矢印ＶＩＩＢ方向から見た図である。
図８は実施例１の可動ガイド部材及びリンク装置の説明図であり、図８Ａは図７Ａの矢印ＶＩＩＩＡ方向から見た図、図８Ｂは図７Ａの矢印ＶＩＩＩＢ方向から見た図である。
【００３８】
図２および図５〜図８において、前記アームＡｍは前記第１サブトラクタ支持部材Ｋ１ａに固定支持された下側アーム部材３１を有する。前記下側アーム部材３１の用紙搬送方向中央部の後側面（−Ｘ側面）には、Ｌ字形状の第１ブラケット３２がネジ３２ａにより固定されている。前記第１ブラケット３２は、水平に延びる第２ブラケット支持部３２ｂを有し、前記第２ブラケット支持部３２ｂには、Ｌ字形状の第２ブラケット３３がネジ３３ａにより固定支持されている。前記第２ブラケット３３の右端面（＋Ｙ端面）には、ロール状の第１リンク係合部材３４が固定支持されている。したがって、前記第１ブラケット３２、第２ブラケット３３および第１リンク係合部材３４は、前記第１サブトラクタ支持部材Ｋ１ａと共に用紙幅方向に移動する。
前記シャフト２３や退避位置検出センサＳＮ、アームＡｍ、トラクタ支持フレームＦｔ、第１ブラケット３２、第２ブラケット３３および第１リンク係合部材３４等によりトラクタ移動装置２１が構成されている。
【００３９】
（第１リンク部材）
前記第２ブラケット３３の右方には、リンク装置３６が配置されている。前記リンク装置３６は、前記第１リンク係合部材３４に係合する第１リンク部材３７を有する。前記第１リンク部材３７は上方内側に向けて突出する二又状の突出部３７ａを有し、前記二又状の突出部３７ａの外側には前記第１リンク係合部材３４が係合する第１リンク被係合部３７ｂが形成されている。前記第１リンク被係合部３７ｂは、突出部３７ａの内側突出部３７ｃよりも突出量が大きく、トラクタ移動装置２１により用紙幅方向内側にトラクタＫ１〜Ｋ３が移動する際に内側突出部３７ｃが第１リンク係合部材３４に係合しないように設定されている。なお、内側突出部３７ｃは省略することも可能である。
【００４０】
（第２リンク部材）
前記第１リンク部材３７の下方には、第２リンク部材３８が配置されている。前記第２リンク部材３８は、図示しないフレームにより回転支点（第２リンク回転中心）３８ａを中心として回転可能に支持されており、第２リンク部材３８の用紙搬送方向外側の第１リンク部材支持部３８ｂには前記第１リンク部材３７がネジ３８ｃにより固定支持されている。前記第２リンク部材３８は用紙搬送方向内側に延びる第３リンク連結部材支持部３８ｄを有しており、前記第３リンク連結部材支持部３８ｄにはバネ装着部３８ｅが形成されている。前記第３リンク連結部材支持部３８ｄにはコロ状の第３リンク連結部材（第３リンク連結部）３８ｆが回転可能に支持されている。前記バネ装着部３８ｅには、付勢バネ（弾性部材）４１の一端部が装着されており、付勢バネ４１の他端部は、図示しないフレームに支持されたバネ支持部材４２に装着されている。前記付勢バネ４１は、第２リンク部材３８を、第２リンク部材３８の用紙幅方向内側部分が回転支点３８ａを中心として下方に移動するように付勢している。
【００４１】
（第３リンク部材）
前記第２リンク部材３８の右方（＋Ｙ方向、用紙幅方向下流側）には、第３リンク部材４６が配置されている。前記第３リンク部材４６は、鉛直方向に延びるシャフト４６ａを有する。前記シャフト４６ａは、図示しないフレームに支持されたシャフト支持部材４７の上下に設けられたシャフト支持部４７ａ、４７ｂにより上下方向にスライド移動可能に支持されている。前記シャフト支持部４７ａ、４７ｂの間のシャフト４６ａの中央部には、枠体状の被連結部材４６ｂがネジ４６ｃにより固定支持されている。前記枠体状の被連結部材４６ｂ内には前記第３リンク連結部材３８ｆが収容されている。なお、前記被連結部材４６ｂとシャフト支持部４７ａ、４７ｂとにより、シャフト４６ａの上下方向の移動可能範囲を規制するためのストッパとしての機能を持たせることもできる。
【００４２】
（第４リンク部材）
前記シャフト４６ａの上端部には、第４リンク部材４８がネジ４８ａにより固定支持されている。前記第４リンク部材４８は、Ｕ字形のガイド連結部材支持部４８ｂを有し、ガイド連結部材支持部４８ｂには、水平方向に延びるシャフト状のガイド連結部材４８ｃが回転可能に支持されている。前記ガイド連結部材４８ｃの両端部には、コロ状のガイド連結部（ガイド部材係合部）４８ｄ、４８ｄが設けられている。
前記第１リンク部材３７、第２リンク部材３８、付勢バネ４１、バネ支持部材４２、第３リンク部材４６、シャフト支持部材４７および第４リンク部材４８等により実施例１のリンク装置３６が構成されている。
【００４３】
（可動ガイド部材の説明）
前記第４リンク部材４８の上方には可動ガイド部材ＫＧが配置されている。前記可動ガイド部材ＫＧは、用紙搬送路（用紙パス）に沿って、転写領域上流側トラクタＫ２の下流側で転写領域Ｑ１まで連続用紙Ｐをガイドするガイド部材固定部５２を有する。前記ガイド部材固定部５２は、転写領域Ｑ１近傍の下流側固定部５２ａと前記下流側固定部５２ａをネジ５２ｂにより固定支持する中流側固定部５２ｃとを有する。前記中流側固定部５２ｃは、図示しないフレームに固定支持されたフレーム支持部材５３にネジ５２ｄにより固定支持されている。
前記中流側固定部５２ｃの上流端部には、第１可動部回転支持部材５４がネジ５４ａにより固定支持されており、上流側の下面には第２可動部回転支持部材５６が固定支持されている。前記可動部回転支持部材５４，５６は下方に折れ曲がって形成された回転支持部５４ｂ、５６ａを有し、前記回転支持部５４ｂ、５６ａには回転支点（ガイド部材回転中心）５７が支持されている。
【００４４】
前記中流側固定部５２ｃの用紙搬送方向上流側には、ガイド部材可動部５８が配置されている。前記ガイド部材可動部５８は、プレート状の可動部本体５９を有する。前記可動部本体５９の用紙幅方向外側には折れ曲がって形成された被回転支持部５９ａを有し、前記被回転支持部５９ａは前記回転支点５７に支持されている。したがって、前記ガイド部材可動部５８は、ガイド部材固定部５２に対して、下方の非ガイド位置（図５の実線参照）と、上方の用紙ガイド位置（図５の破線参照）との間で回動可能に支持されている。
前記可動部本体５９の下面には、逆Ｕ字形のリンク装置被連結部材６１が支持されている。前記被連結部材６１の用紙幅方向両側には下方に折れ曲がった被連結部６１ａ、６１ａが形成されており、前記被連結部６１ａ、６１ａには、それぞれ、右斜め上方に延びる係合溝６１ｃ、６１ｃが形成されている。前記係合溝６１ｃ、６１ｃには、第４リンク部材４８のガイド部材連結部４８ｄ、４８ｄが係合溝６１ｃ、６１ｃに沿って移動可能に支持されている。
前記符号５２〜６１が付された各部材により実施例１の可動ガイド部材ＫＧが構成されている。また、前記トラクタＫ１〜Ｋ３、トラクタ移動装置２１、リンク装置３６および可動ガイド部材ＫＧ等により実施例１の用紙搬送装置ＳＨが構成されている。
【００４５】
（実施例１の作用）
前記構成要件を備えた実施例１の画像形成装置としてのプリンタＵでは、ピンレス連続用紙Ｐを使用する場合には、トラクタ移動装置２１を調整して、トラクタＫ１〜Ｋ３を用紙幅方向外側の退避位置（図４の破線参照）に移動させる。このとき、第１サブトラクタＫ１を支持する第１サブトラクタ支持部材Ｋ１ａの移動に伴って（図６の矢印参照）、第１リンク係合部材３４が用紙幅方向外側に移動して第１リンク被係合部３７ｂに係合し、第１リンク部材３７を用紙幅方向外側に移動させる力が作用する。この力により、第１リンク部材３７および第２リンク部材３８は、回転支点３８ａを中心として回転移動する（図６の矢印参照）。前記第２リンク部材３８が回転すると、第３リンク連結部材３８ｆが係合する（収容された）第３リンク部材４６の被連結部材４６ｂを上方に移動させ、被連結部材４６ｂが固定されたシャフト４６ａがシャフト支持部材４７によりガイドされて上方に移動する（図６の矢印参照）。前記シャフト４６ａが上方に移動すると、第４リンク部材４８が上方に移動する（図６の矢印参照）。第４リンク部材４８が上方に移動すると、第４リンク部材４８のガイド部材連結部４８ｄ、４８ｄと係合溝６１ｃ、６１ｃとの係合により、ガイド部材可動部５８が回転支点５７を中心として回転移動して（図６の矢印参照）、下方の非ガイド位置（図５の実線参照）から上方の用紙ガイド位置（図５の破線参照）に移動する。
この結果、トラクタ移動装置２１を調節してトラクタＫ１〜Ｋ３を退避位置に移動させることにより、可動ガイド部材ＫＧのガイド部材可動部５８を用紙ガイド位置に移動させることができる。前記用紙ガイド位置にガイド部材可動部５８が移動すると、ガイド部材可動部５８とガイド部材固定部５２とがほぼ直線状になり、連続用紙Ｐを滑らかに且つ適切にガイドすることができる。
【００４６】
前記可動ガイド部材ＫＧを用紙ガイド位置に移動させた状態で、新たなピンレス連続用紙Ｐを自動でセットするオートロード作業を行う場合、先ず、ピンレス連続用紙Ｐの前端部をバックテンションローラＢＲで挟んで、第１オートロード時搬送部材（Ｒｇ１＋Ｒｐ１）の位置まで引き込む。この状態で、ユーザインタフェースＵＩのオートロード用のボタン（図示せず）の入力を行うと、第１オートロード時搬送部材（Ｒｇ１＋Ｒｐ１）でピンレス連続用紙Ｐを挟んで駆動して下流側に搬送する。これにより、ピンレス連続用紙Ｐは可動ガイド部材ＫＧやガイドバーＧＢ、用紙ガイドＧ１によりガイドされて、転写領域Ｑ１を通過し、第２オートロード時搬送部材（Ｒｇ２＋Ｒｐ２）に搬送される。このとき、可動ガイド部材ＫＧは、ガイド部材可動部５８が用紙ガイド位置に移動し、ガイド部材可動部５８とガイド部材固定部５２とがほぼ直線状になっているので、従来技術のように段差状になっている（湾曲している）場合に問題となっていた連続用紙Ｐの前端が引っ掛かったり、座屈して折れ曲がったりすることを低減できる。特に、こしの弱い連続用紙の座屈を低減できる。そして、ピンレス連続用紙Ｐは、第２オートロード時搬送部材（Ｒｇ２＋Ｒｐ２）や図示しないガイド部材により更に下流側に搬送され、定着領域Ｑ２を通過し、排出ローラＲｂまで搬送される。そして、オートロード時搬送部材（Ｒｇ１＋Ｒｐ１＋Ｒｇ２＋Ｒｐ２）の各ピンチローラＲｐ１，Ｒｐ２が各ゴムローラＲｇ１，Ｒｇ２から離隔して、オートロード動作が終了する。
【００４７】
一方、使用する連続用紙Ｐをピンレス連続用紙Ｐから送り孔付き連続用紙Ｐに変更する場合、連続用紙Ｐの用紙幅に応じて、トラクタ移動装置２１を調整して、トラクタＫ１〜Ｋ３をトラクタ搬送位置（図４の実線または１点鎖線参照）に移動させる。このとき、トラクタ移動装置２１に連動して第１リンク係合部材３４が用紙幅方向内側に移動するが、リンク装置３６も付勢バネ４１の付勢力や、ガイド部材可動部５８やシャフト４６の自重等により、図６〜図８に示す状態に戻っていく。そして、第１リンク係合部材３４が第１リンク被係合部３７ｂとの係合が解除されると、ガイド部材可動部５８は用紙ガイド位置から非ガイド位置に移動する。この結果、転写領域上流側トラクタＫ２と可動ガイド部材ＫＧとの間には、トラクタＫ２の押さえ部材可動部１６ｂを開閉するための空間７１が形成され、紙詰まり解消時や用紙セット時等に押さえ部材可動部１６ｂを容易に回動させることができる。
【００４８】
したがって、実施例１のプリンタＵでは、ピンレス連続用紙Ｐのオートロード時における連続用紙Ｐの座屈等を低減できると共に、送り孔付き連続用紙Ｐ使用時の押さえ部材可動部１６ｂを開閉するための空間７１も確保することができる。この結果、１台のプリンタＵで、ピンレス連続用紙Ｐと送り孔付き連続用紙Ｐを使用することができ、プリンタＵの大型化を防止できる。
【００４９】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ05）を下記に例示する。
（Ｈ01）前記実施例において、トラクタ移動装置２１は、手動で調整する構成を例示したが、これに限定されず、例えば、ユーザインタフェースで入力した用紙種類（送り孔の有無）や用紙幅に応じてモータを回転してトラクタの用紙幅方向の位置を調整する構成とすることも可能である。また、トラクタ移動装置２１は用紙幅方向両端部にそれぞれ設置したが、これに限定されず、例えば、ピニオン（ギア）とラック（ギア歯が形成された棒状の部材）とを組み合わせて一端側と他端側の調整量を連動させるように構成することも可能である。
【００５０】
（Ｈ02）前記実施例において、画像形成装置としてのプリンタを例示したが、これに限定されず、ＦＡＸや複写機あるいはこれらすべてまたは複数の機能を備えた複合機とすることも可能である。また、電子写真方式の画像形成装置に限定されず、インクジェット記録方式等従来公知の画像記録方式の画像形成装置に適用可能である。さらに、モノクロの画像形成装置に限定されず、カラーの画像形成装置により構成することも可能である。
（Ｈ03）前記実施例において、可動ガイド部材のガイド部材可動部をガイド部材固定部に対して回転可能に構成したが、これに限定されず、例えば、シャフト４６ａと共に上下方向にスライド移動する構成とすることも可能である。
（Ｈ04）前記実施例において、可動ガイド部材ＫＧを配置する位置は、転写領域の上流側に限定されず、用紙搬送路上の任意の位置に配置することができる。
（Ｈ05）前記実施例において、折り線Ｐｂが形成された連続用紙Ｐを使用したが、これに限定されず、折り線が形成されていない連続用紙（ロール紙等）を使用することも可能である。
【図面の簡単な説明】
【００５１】
【図１】図１は本発明の実施例１の用紙搬送装置を備えた画像形成装置の説明図である。
【図２】図２は実施例１の画像形成装置の転写領域近傍の要部拡大説明図である。
【図３】図３は用紙フィード用のトラクタユニットの説明図であり、図３Ａはトラクタユニットと用紙の説明図、図３Ｂはトラクタユニットの説明図で前記図３ＡのIIIＢ−IIIＢ線断面図、図３Ｃは図３Ｂの矢印IIIＣ方向から見た図である。
【図４】図４は実施例１のトラクタ移動装置の要部拡大説明図である。
【図５】図５は実施例１の可動ガイド部材およびリンク装置の側面図である。
【図６】図６は最大サイズ用トラクタ搬送位置に移動した可動ガイド部材およびリンク装置を右斜め後の上方から見た斜視説明図である。
【図７】図７は実施例１の可動ガイド部材及びリンク装置の説明図であり、図７Ａは図６の矢印ＶＩＩＡ方向から見た図、図７Ｂは図７Ａの矢印ＶＩＩＢ方向から見た図である。
【図８】図８は実施例１の可動ガイド部材及びリンク装置の説明図であり、図８Ａは図７Ａの矢印ＶＩＩＩＡ方向から見た図、図８Ｂは図７Ａの矢印ＶＩＩＩＢ方向から見た図である。
【図９】図９は連続用紙を使用する画像形成装置の用紙搬送路の要部拡大説明図である。
【符号の説明】
【００５２】
２１…トラクタ移動装置、
３４…第１リンク係合部材、
３６…リンク装置、
３７…第１リンク部材、
３７ｂ…第１リンク被係合部、
３８…第２リンク部材、
３８ａ…第２リンク回転中心、
３８ｅ…第３リンク連結部、
４６…第３リンク部材、
４８…第４リンク部材、
４８ｄ…ガイド部材係合部、
５７…ガイド部材回転中心、
５８…ガイド部材可動部、
６１ｃ…係合溝、
Ｋ１，Ｋ２，Ｋ３…トラクタ、
Ｋ１ａ…トラクタ支持部材、
ＫＧ…可動ガイド部材、
Ｐ…連続用紙、
ＳＨ…用紙搬送装置、
Ｕ…画像形成装置。
【図１】
0004735254.tif 000002
【図２】
0004735254.tif 000003
【図３】
0004735254.tif 000004
【図４】
0004735254.tif 000005
【図５】
0004735254.tif 000006
【図６】
0004735254.tif 000007
【図７】
0004735254.tif 000008
【図８】
0004735254.tif 000009
【図９】
0004735254.tif 000010